Podtech/llm-jp-corpus-v4-ja_patent huggingface dataset:
(57)【要約】【課題】簡単な構成で、手の小さい人にも垢擦り袋が手からはずれたりせず安定して使用することを目的とする。【解決手段】目的を解決するために、中指を出す切れ目または穴を袋の中央部分にもうけたものである。本考案の穴付き垢擦り袋は穴から中指を出すことによって人差し指、薬指とともに３本の指で袋をつかみ固定することになり手の小さい人が体を洗浄時に袋が手からはずれたり袋が回転したりする事を防ぎ安定して使用することができる【選択図】      図１
2004290635.tif 000002
【特許請求の範囲】
【請求項１】
指穴付き体洗い用の垢擦り袋
【発明の詳細な説明】
【０００１】
【発明の属する技術分野】
本発明は、入浴時に使用する化学繊維の不織布でできた垢擦り袋に関し、特に使い勝手を改良した垢擦り袋に関する。
【０００２】
【従来の技術】
従来の垢擦り袋は一般的な袋タイプと図２のようなミットタイプがある。
【０００３】
【発明が解決しようとする課題】
しかし、従来の一般的な袋タイプでは石鹸とともに使用するためとても滑りやすく袋が手からはずれたり袋が回ってしまい安定して洗えなかった。特にホテルの浴室利用の場合、垢擦り袋のサイズが男性用の手の大きさになっているため手の小さい女性や子供にとって大きすぎて安定して体を洗うことができなかった。またミットタイプの場合は製造時に親指を入れる部分を縫製しなければならずその分余計に時間がかかり比較的大量生産に向いていなかった。
【０００４】
そこで、本発明は滑りやすい手の小さい人にも安定して使用することができ、また容易に生産できるようにすることを目的とする。
【０００５】
【課題を解決するための手段】
上記目的を解決するために、中指を出す切れ目または穴を袋の中央部分にもうけたものである。本考案の穴付き垢擦り袋は穴から中指を出すことによって手の小さい人が体を洗浄時に袋が手からはずれたり袋が回転したりする事を防ぎ安定して使用することができる
【０００６】
【発明の実施の形態】
この発明の実施形態を、図１に示す。垢擦り袋本体はポリエステル不織布でできており１３の袋の入口より手を入れ１１の穴より中指を出して使用する。
中指を出すことにより人差し指、薬指とともに３本の指で袋をつかみ固定することになり安定して洗えるようになる。また図２のミットタイプの垢擦り袋は固定して洗えるが図１の１２の縫製部分に比べると図２の１４の縫製部分は縫製に比較的時間を要する。
【０００７】
【発明の効果】
本発明によれば、簡単な構成で、手の小さい人にも袋がはずれたりせず安定して使用することができる。
【図面の簡単な説明】
【図１】本考案の指穴付き垢擦り袋の一実施形態を示す正面図
【図２】ミットタイプの垢擦り袋の正面図
【符号の説明】
１１・・・・指出し用穴
１２、１４・・・・縫製部分
１３・・・・手を入れる口
【図１】
2004290635.tif 000003
【図２】
2004290635.tif 000004
(57)【要約】      （修正有）【課題】道路交通法さえ守れば絶対に事故は起こらないと言うことを再確認することのできるゲームを提供する。【解決手段】盤上に同心円状の３コースを設けセルで区切った。一般コース（外輪）５、免許停止２コース（内輪）６と７とした。一般コースでサイコロ、チップを用いセルを移動して行く。減点セル１に到達し減点数が免許停止点になると免許停止コースに移る。免許停止コースで免徐セル２に到達すれば免許停止解除となり、短期コース又は一般コースへ戻る。このようにゲームを進めて行き免許取り消し点になるとゲームアウトなり、うまく最後まで一般コースに残ったプレーヤーが勝ち。【選択図】  図１
2004290630.tif 000002
【特許請求の範囲】
【請求項１】
道路交通法を応用し盤上コースに減点セル、免除セルを設けサイコロ、チップを使いゲーム盤上を同心円状に循環するゲーム。
【請求項２】
ゲーム盤上に一般コース、免許停止短期コース、免許停止中期（長期）コースを同心円状に３コース設けたゲーム。
【発明の詳細な説明】
【０００１】
本発明は、道路交通法を応用し盤上に一般コース、免許停止短期コース、免許停止中
（長期）コースを設け、免許停止、免許取り消しにあらないようにプレイし最後まで一般コース上に残ったプレーヤーが勝ちとなる。
【０００２】
本発明は，同心円状の外輪を一般コース、次の内輪を免許停止短期コース、最内輪を免許停止中（長）期コースとし、各々ゲームスタート地点がある。
【０００３】
一般コースのスタートセルから青色チップをサイの目の数だけ右回りにセルを移動し、減点セルに到達した場合、その都度減点数が加算されていく。▲１▼，▲２▼、▲３▼と記されたセルに到達した場合は、表１に準じて減点数が加算される。
累積点数が免許停止点に到達すると表２に準じて、免許停止期間とチップ色を決めコースを変え、そのコースのスタートセルで次の順番を待ちそのコースでゲームを続ける。
【０００４】
【表１】
2004290630.tif 000003
【０００５】
【表２】
2004290630.tif 000004
【０００６】
ゲーム中、免除セルに到達した場合は表３に準じて短縮期間又は累積点が免除される。
【表３】
2004290630.tif 000005
【０００７】
免許停止を受け短期又は中（長）期コースでゲーム中、免徐や特赦を受けてもチップの色は変わらない。一般コースに復帰し免徐又は特赦を受けないとチップ色は変わらない。
持ち点をオーバーすると免許取り消しとなる。免許取り消しになるとゲームよりリタイアになる。
最後まで残ったプレーヤーが一般コースであれば勝ち、短、中期コースに残った場合はゲームオーバーとなりノーゲームとなる。
【０００８】
減点になった場合は、減点シート表４に他のプレーヤーがチェクをする。
【表４】
2004290630.tif 000006
【図面の簡単な説明】
【図１】ゲーム盤の平面図である。
【符号の説明】
１  減点セル
２  免除セル
３  特赦セル
４  スタート
５  一般コース
６  免許停止短期コース
７  免許停止中（長）期コース
【図１】
2004290630.tif 000007
(57)【要約】【課題】洗濯のときに、洗濯物の出し入れや持ち運びにかかる動作の無駄を解消し、その動作をスムーズに行えるように洗濯籠をそのまま中に入れて使用できる洗濯機を提供する。【解決手段】洗濯層３の段４に籠２を置き、取っ手５を持ち取り外して洗濯物の持ち運びにそのまま使用できるようにする。【選択図】  図２
2004290628.tif 000002
【特許請求の範囲】
【請求項１】
洗濯籠をそのまま入れて使用することにより洗濯物の出し入れ及び、持ち
運びが楽になった洗濯機。
【請求項２】
洗濯籠を取り外しできる形状の洗濯層。
【請求項３】
洗濯層中にいれて使うことのできる形状の洗濯籠。
【請求項４】
乾燥の温度に耐え変形することの無い強度の洗濯籠。
【発明の詳細な説明】
【０００１】
【発明の属する技術分野】
本発明は、洗濯籠を洗濯機の中に取り付けることにより、洗濯物の出し入れ又、持ち運びをスムーズに行えるようにしたものである。
【０００２】
【従来の技術】
従来は、洗濯籠と洗濯機は別々であり、ひとつになっている物は無かった。
【０００３】
【発明が解決しょうとする課題】
洗濯をするときに籠の中に入っている洗濯物を籠から手で洗濯機の中に入れる作業又、洗濯し終わった後、洗濯物を洗濯機の中から籠の中に移して干すところに持って行くという一連の動作の中の無駄な労力を解消するためになされたものである。
【０００４】
【課題を解消するための手段】
洗濯機の中に洗濯物の入った籠２を入れ洗濯できるような洗濯層３を新たに製作し、籠をそのまま洗濯に利用できるようにした。
【０００５】
【発明の実施の形態】
以下、本発明の実施の形態について説明する。
（イ）．籠２の取っ手５を持って洗濯層３の段４に籠２を入れられるようにする。
（ロ）．籠２は、乾燥の温度に耐えられ、かつ変形しない物にする。
（ハ）．洗濯機の連続使用にも対応できるように洗濯機そのものは籠２が入っていなくても使用できるようにする。
【０００６】
【発明の効果】
籠を洗濯に利用することにより、従来の作業動作に比べ、入れる・取り出す・持ち運ぶといった洗濯に絶対必要な一連の動作を楽にすることができるようになり、今まであった洗濯機には無い、新しい付加価値を付けた洗濯機を作ることができる。
【図面の簡単な説明】
【図１】本発明の立体図ある。
【図２】本発明の使用状態を示す断面図と籠の捕捉図である。
【符号の説明】
１  洗濯機本体
２  洗濯籠
３  洗濯層
４  段
５  取っ手
【図１】
2004290628.tif 000003
【図２】
2004290628.tif 000004
(57)【要約】【課題】タンポン挿入時の違和感を無くし、容易に挿入できることである。【解決手段】タンポンの挿入部分に潤滑性オイルを塗ることにより挿入時の違和感を無くし挿入を容易にすることである。【選択図】    図１
2004290625.tif 000002
【特許請求の範囲】
【請求項１】
挿入部分に潤滑性オイルを塗ることにより、違和感無く容易に挿入でき、痛みも減少することを特徴とする月経用タンポン。
【請求項２】
挿入部分に潤滑性オイルを塗ったゴムカバーを取り付けることにより容易に挿入でき、痛みも減少することを特徴とする請求項１に記載の月経用タンポン。
【請求項３】
ゴムの先端に、直経３ｍｍの穴をあけることにより、挿入が容易に、出来ることを特徴とする請求項１及び請求項２に記載の月経用タンポン。
【発明の詳細な説明】
【０００１】
【産業上の利用分野】
本発明は、タンポンを挿入する際に、違和感無く容易に挿入できる月経用タンポンに関するものである。
【０００２】
タンポンの挿入部分に潤滑性オイルを塗ったゴムカバーをすることにより、体調がどのような状態においても違和感無く容易に挿入が出来るようにした衛生的な月経用タンポンを提供する。
【０００３】
【従来の技術】
従来一般に用いられている月経用タンポンは、プラスチック性タイプのものであるが、挿入の際、痛みを感じることが多かった。
【０００４】
【発明が解決しようとする課題】
前記のタンポンは、出血が少ない状態時は、容易に挿入できない場合がある。
【０００５】
【課題を解決するための手段】
本発明のタンポンは、挿入部分に、ゴムカバーをかけ、潤滑性オイルを塗り、使用者の手を汚すことなく、非常に挿入しやすい、タンポンを提供することを特徴とすることにより上記の目的を達成したものである。
【０００６】
請求項１に示す通り、挿入部分に潤滑性オイルを塗ることにより、オイルが漏れることもなく、痛みも減少し、違和感無く容易に使用できることが、本発明の特徴である。
【０００７】
【実施例】
本発明の、月経用タンポンを１８歳から３５歳の２０人に、３ヶ月間使用を実施した結果、２０人中１８人が使用感が良いと言う結果が得られ、２人が使用感が同じと言う結果であった。
【０００８】
上記の結果が示すように、本発明の月経用タンポンは、今後、多くの使用者が増えることは、明白である。
【０００９】
【発明の効果】
以上のように、本発明では、月経用タンポンの挿入部分に潤滑性オイルを塗ることにより、違和感無く容易に挿入でき、痛みも減少する。
【図面の簡単な説明】
【図１】本発明のタンポン側面図である。
【図２】第１図に示されるタンポンの断面図である。
【図３】タンポンの斜視図である。
【符号の説明】
１  タンポン
２  吸収体
３  外筒
４  内筒
５  ゴム
６  ゴムの先端（丸い穴が開いている）
【図１】
2004290625.tif 000003
【図２】
2004290625.tif 000004
【図３】
2004290625.tif 000005
(57)【要約】【課題】方向をより正確に行う事が出来るパターを提供する事。【解決方法】カップとパターの線上に架空のポイントをイメージ出来るよう平面形状をフエィス面（１）に対して直角方向の側面（２）を打ち出し方向（前）３０ｃｍ先が交点となる様、扇状に斜め加工し、かつ斜め加工された面と平行に上部からそれぞれの斜めラインが見やすい様メッキ加工物又はアクリル等を埋込んだ形状のクラブヘッドと、シャフトの断面を元端、中央、先端を円形、長方形、円形と形状を変え、打出し方向のみに対してクラブヘッドが動くよう弾力性を持ったシャフトで構成するものである。【選択図】  図３
2004290627.tif 000002
【特許請求の範囲】
【請求項１】
平面形状をフェィス面（１）に対して直角方向の側面（２）を打ち出し方向内側に斜め加工しその斜め面と平行にメッキ加工物又はアクリル等を埋込した特徴のパター。
【請求項２】
シャフトの断面を円形と長方形の異形で構成され弾力性を持つ素材で出来た特徴を請求項１に記載のパター。
【発明の詳細な説明】
【０００１】
【考案の属する技術分野】
この考案は、方向性を重視したパターに関するものである。
【０００２】
【従来の技術】
従来、パターでカップを狙う場合パターのフェィス面をカップに対して直角に合わせ、フェィス面とカップの関係を保ちつつストロークを行うのが一般的である。
【０００３】
【考案が解決しようとする課題】
上記に記載された１連の動作に、なおかつ方向の確認し、出来るだけ小さいストロークで打つ事を可能とするパターを提供することを目的とする。
【０００４】
【課題を解決するための手段】
上記課題を解決するために、カップとパターとの線上に架空のポイントをイメージ出来るよう平面形状をフエィス面（１）に対して直角方向の側面（２）を打ち出し方向（前）３０ｃｍ先が交点となる様、扇状に斜め加工し、かつ斜め加工された面と平行に上部からそれぞれの斜めラインが見やすい様メッキ加工物又はアクリル等を埋込んだ形状のクラブヘッドと、シャフトの断面を元端、中央、先端を円形、長方形、円形と形状を変え、打出し方向のみに対してクラブヘッドが動くよう弾力性を持った素材で加工されたシャフトで構成するものである。
【０００５】
【発明の実施の形態】
以下、本発明の実施の形態として実施例を図１〜５に基づいて説明する。
【０００６】
図１において、クラブフェィス（１）に直角方向の側面（２）を斜め加工としその斜めと平行にスリット（３、４）を設け内部にメッキ加工物又はアクリル等を埋込む。
【０００７】
図２、図３はシャフトの全体と各部分の断面を説明した外観及び断面図である。シャフト全体を単一断面とせず一方向のみに弾力性を持たせる為に断面形状が異なる。
【０００８】
図３は、パタークラブ全体を示した外観図である。
【０００９】
【発明の効果】
本考案は、以上説明したような形態で実施され、以下に記載されるような効果を奏する。
【００１０】
パターの方向性を５０ｃｍ以内（顔を動かさない距離）で再確認する事が出来  又、少ない手の動き（ストローク）により方向誤差が極めて小さくなる。
【図面の簡単な説明】
【図１】この考案のクラブヘッド部を示す平面図である。
【図２】この考案のシャフト部を示した外観図及び断面図である。
【図３】
【図１】
【図２】を組み合わせた全体の外観図である。
【図４】この考案の使用例を示す概要図である。
【符号の説明】１    クラブヘッド
２    側面
３    スリット１
４    スリット２
５    クラブフェィス
６    シャフト
【図１】
2004290627.tif 000003
【図２】
2004290627.tif 000004
【図３】
2004290627.tif 000005
【図４】
2004290627.tif 000006
(57)【要約】      （修正有）【課題】片刃部あっても、右利き又は左利き使用に拘わらず違和感なく良好に蕎麦切り作業を行うことができ、かつ製作コストを低減することで一般家庭への蕎麦作り普及を図ることが可能な蕎麦切り包丁を提供する。【解決手段】略四角板状の刃身体１の下辺縁部に片刃部２を形成し、刃身体の上部に略四角穴状の窓穴部３を形成し、該窓穴部と刃身体の上辺縁部との間の残余部に握持体４を形成してなり、上記窓穴部及び上記握持体を上記刃身体の左右の中心線に対して左右対称に形成してなる。【選択図】        図１
2004290510.tif 000002
【特許請求の範囲】
【請求項１】
略四角板状の刃身体の下辺縁部に片刃部を形成し、該刃身体の上部に略四角穴状の窓穴部を形成し、該窓穴部と刃身体の上辺縁部との間の残余部に握持体を形成してなり、上記窓穴部及び上記握持体を上記刃身体の左右の中心線に対して左右対称に形成してなることを特徴とする蕎麦切包丁。
【請求項２】
上記刃身体の左右辺縁部にそれぞれ片刃状の削取部を形成してなることを特徴とする請求項１記載の蕎麦切包丁。
【発明の詳細な説明】
【０００１】
【発明の属する技術分野】
本発明は例えば手打ち蕎麦の蕎麦切り作業に用いられる蕎麦切包丁に関するものである。
【０００２】
【従来の技術】
【０００３】
【特許文献１】
特開２００１−１２８６３４号公報
【０００４】
従来、この種の蕎麦切包丁として、略四角板状の刃身体の下辺縁部に片刃部を形成し、刃身体の上部片側に中程部付近へ横に延びる切欠部を形成し、切欠部と刃身体の上辺縁部との間の残余部を握持部に形成してなる構造のものが知られている。ここに、蕎麦切包丁は、上から押さえて切るため、重心の位置が握りの近くにあるよう、握持部の位置が中央近くに寄った独特の形をしている。
【０００５】
【発明が解決しようとする課題】
しかしながら上記従来構造の場合、上記握持部は刃身体の片側に位置すると共に蕎麦を切る刃は片刃となっているため、右利き専用又は左利き専用の蕎麦切包丁が必要となり、このため、使用の融通性が低下していると共に左利き専用のものは製作個数が限られているため、製作コストの高騰を余儀なくされ、それだけ一般家庭での蕎麦作り普及の隘路となっているという不都合を有している。
【０００６】
【課題を解決するための手段】
本発明はこのような不都合を解決することを目的とするもので、本発明のうちで、請求項１記載の発明は、略四角板状の刃身体の下辺縁部に片刃部を形成し、該刃身体の上部に略四角穴状の窓穴部を形成し、該窓穴部と刃身体の上辺縁部との間の残余部に握持体を形成してなり、上記窓穴部及び上記握持体を上記刃身体の左右の中心線に対して左右対称に形成してなることを特徴とする蕎麦切包丁にある。
【０００７】
又、請求項２記載の発明は、上記刃身体の左右辺縁部にそれぞれ片刃状の削取部を形成してなることを特徴とするものである。
【０００８】
【発明の実施の形態】
図１乃至図５は本発明の実施の形態例を示し、１は刃身体であって、この場合、板厚２ｍｍ、横幅２７０ｍｍ、縦１６０ｍｍ程度のステンレス鋼や鉄鋼材により略四角板状に製作され、この刃身体１の下辺縁部に片刃部２を形成し、刃身体１の上部に略四角穴状の窓穴部３を形成し、この窓穴部３と刃身体１の上辺縁部との間の残余部１ａに合成樹脂製の握持体４を形成し、上記窓穴部３及び上記握持体４を上記刃身体１の左右の中心線Ｏに対して左右対称に形成し、蕎麦切包丁Ｈを構成している。
【０００９】
５・５は削取部であって、上記刃身体１の左右辺縁部にそれぞれ片刃状に形成されている。
【００１０】
この実施の形態例は上記構成であるから、蕎麦生地を麺棒を使って厚さ２ｍｍ程度に仕上げたのち蕎麦切包丁Ｈで切れる幅に折り畳み、折り畳んだ生地を打ち粉を振ったまな板上に置き、右手に蕎麦切包丁を持ち、左手で駒板を軽く押さえ、蕎麦切包丁を切り下ろした瞬間にわずかに蕎麦切包丁を駒板側に傾け、この動作で駒板を蕎麦の幅だけ左に移動させ、これを繰り返して一定の幅に蕎麦生地を切ることになり、この際、上記窓穴部３及び上記握持体４は上記刃身体１の左右の中心線Ｏに対して左右対称に形成されているから、片刃部２あっても、刃身体１を反転して使用することにより右利き用又は左利き用として兼用することができ、かつ、重心の位置が握持体４の近くあり、蕎麦切りは上方から押さえて切るため、右利き又は左利き使用に拘わらず違和感なく良好に蕎麦切り作業を行うことができ、それだけ、使用の融通性を高めることができると共に特別に左利き専用の蕎麦切包丁を製作する必要がなくなり、製作コストの低減を図ることができ、それだけ一般家庭での蕎麦作り普及を図ることができる。
【００１１】
又、この場合、上記刃身体１の左右辺縁部にそれぞれ片刃状の削取部５・５を形成しているから、右利き又は左利き使用において、いずれかの削取部５・５により今までの蕎麦切包丁と同様にまな板上の蕎麦生地の削り取り等を行うことができ、一層違和感なく使用することができる。
【００１２】
尚、本発明は上記実施の形態例に限られるものではなく、刃身体１、片刃部２、窓穴部３、握持体４の構造や形態等は適宜変更して設計されるものである。
【００１３】
【発明の効果】
本発明は上述の如く、請求項１記載の発明にあっては、刃身体の窓穴部及び握持体は刃身体の左右の中心線に対して左右対称に形成されているから、片刃部あっても、刃身体を反転して使用することにより右利き用又は左利き用として兼用することができ、かつ、重心の位置が握持体の近くあり、蕎麦切りは上方から押さえて切るため、右利き又は左利き使用に拘わらず違和感なく良好に蕎麦切り作業を行うことができ、それだけ、使用の融通性を高めることができると共に特別に左利き専用の蕎麦切包丁を製作する必要がなくなり、製作コストの低減を図ることができ、それだけ一般家庭での蕎麦作り普及を図ることができる。
【００１４】
又、請求項２記載の発明にあっては、上記刃身体の左右辺縁部にそれぞれ片刃状の削取部を形成しているから、右利き又は左利き使用において、いずれかの削取部により今までの蕎麦切包丁と同様にまな板上の蕎麦生地の削り取り等を行うことができ、一層違和感なく使用することができる。
【００１５】
以上の如く、所期の目的を充分達成することができる。
【図面の簡単な説明】
【図１】本発明の実施の形態例の全体斜視図である。
【図２】本発明の実施の形態例の全体正面図である。
【図３】本発明の実施の形態例の全体平面図である。
【図４】本発明の実施の形態例の全体側面図である。
【図５】本発明の実施の形態例の部分断面図である。
【符号の説明】
Ｈ  蕎麦切包丁
Ｏ  中心線
１  刃身体
２  片刃部
３  窓穴部
４  握持体
５  削取部
【図１】
2004290510.tif 000003
【図２】
2004290510.tif 000004
【図３】
2004290510.tif 000005
【図４】
2004290510.tif 000006
【図５】
2004290510.tif 000007
(57)【要約】      （修正有）【課題】腕を吊る場合に前面に位置する長辺部分に切断によるほつれが生じて見苦しくなるのを防止することができるとともに、長辺部分が使用中に伸びたりするのを効率よく阻止して、長時間安定した状態で腕を吊ることができる三角きんを得るにある。【解決手段】布地５を直角二等辺三角形状に形成した三角きん１において、該三角きんの長辺２に対して、縦糸３および横糸４が直交するように配置して三角きんを構成している。【選択図】  図１
2004290413.tif 000002
【特許請求の範囲】
【請求項１】
布地を直角二等辺三角形状に形成した三角きんにおいて、該三角きんの長辺に対して縦糸および横糸が直交するように配置したことを特徴とする三角きん。
【請求項２】
直角二等辺三角形状の三角きんの高さ寸法を幅寸法に形成した布地を用いて、長辺が該布地の両側部となり、縦糸および横糸が長辺に対して直交するようにしたことを特徴とする三角きん。
【発明の詳細な説明】
【０００１】
【発明の属する技術分野】
本発明は三角きんに関し、特に腕を吊る場合に最適に使用することができる三角きんに関する。
【０００２】
【従来の技術】
従来の直角二等辺三角形状の三角きんは、直角二等辺三角形状の二等辺の一辺の幅寸法の四角形状の布地あるいは帯状の布地を用い、直角二等辺三角形状となるように長辺部分を切断して形成している。
【０００３】
【発明が解決しようとする課題】
従来の三角きんは長辺部分が切断されているため、腕を吊す場合に使用すると、切断された長辺部分が前部に位置して、使用により切断された長辺部分にほつれが生じて見苦しくなるという欠点があるとともに、切断された長辺部分は布地の縦糸を４５度の傾斜で切断した状態となっているので、使用中に布地に伸びが生じ、使用者が痛くなるので、時折長さ調整をしなければならないという欠点があった。
【０００４】
本発明は以上のような従来の欠点に鑑み、腕を吊る場合に前面に位置する長辺部分にほつれが生じて見苦しくなるのを防止することができるとともに、長辺部分が使用中に伸びたりするのを効率よく阻止して、長時間安定した状態で腕を吊ることができる三角きんを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は布地を直角二等辺三角形状に形成した三角きんにおいて、該三角きんの長辺に対して縦糸および横糸が直交するように配置して三角きんを構成している。
【０００７】
【発明の実施の形態】
以下、図面に示す実施の形態により、本発明を詳細に説明する。
【０００８】
図１ないし図５に示す本発明の第１の実施の形態において、１は直角二等辺三角形状で、かつ長辺２に対して縦糸３および横糸４が直交するように布地５を切断して形成した本発明の三角きんで、この三角きん１は直角二等辺三角形状の高さ寸法Ｈが幅寸法となるように形成された、図３に示す布地５を用いて両側部が直角二等辺三角形状の長辺２、２となるように、図４に示すように切断線６に沿って切断して形成されている。
【０００９】
上記のように形成された三角きん１は、腕を吊る場合に使用する場合には、長辺２が前部に位置するようにして長さが最適状態となるようにして、両端部を結んで図５に示すようにして使用する。
このため、三角きん１の長辺２部分は従来のように切断されていないため、ほつれたりして見苦しくなることがないとともに、伸びづらく、使用中に伸びたりする不具合を効率よく阻止することができる。
【００１０】
【発明の異なる実施の形態】
次に、図６および図７に示す本発明の異なる実施の形態につき説明する。なお、この本発明の異なる実施の形態の説明に当って、前記本発明の第１の実施の形態と同一構成部分には同一符号を付して重複する説明を省略する。
【００１１】
図６および図７に示す本発明の第２の実施の形態において、前記本発明の第１の実施の形態と主に異なる点は、直角二等辺三角形状の長辺２の寸法と同じ縦・横寸法の正四角形状の布地５Ａを用いて、対角線状の切断線６Ａ、６Ａに沿って切断して４個の三角きん１Ａ、１Ａ、１Ａ、１Ａを形成した点で、このように形成した三角きん１Ａ、１Ａ、１Ａ、１Ａの長辺２、２、２、２はいずれも切断されることなく形成されるとともに、長辺２、２、２、２に対して縦糸３および横糸４が直交するように配置され、前記本発明の第１の実施の形態と同様な作用効果が得られる。
【００１２】
【発明の効果】
以上の説明から明らかなように、本発明にあっては次に列挙する効果が得られる。
【００１３】
（１）布地を直角二等辺三角形状に形成した三角きんにおいて、該三角きんの長辺に対して縦糸および横糸が直交するように配置したので、腕を吊る場合に前部に位置する長辺部分が、該長辺に対して縦糸および横糸を直交して伸びるのを効率よく阻止することができる。
したがって、従来のように使用中に伸びることなく、安定した状態で長時間使用することができるとともに、伸びにより頻繁に長さ調整する作業が不要で、楽に介護することができる。
【００１４】
（２）前記（１）によって、長辺に対して縦糸および横糸を直交するように形成すればよいので、容易に製造することができる。
【００１５】
（３）請求項２も前記（１）、（２）と同様な効果が得られるとともに、長辺が布地の両側部であるため、腕を吊る場合に前部に布地の両側部である長辺を位置させることができる。
したがって、長辺は従来のように切断されていないので、使用によりほつれたりして見苦しくなるのを確実に防止することができる。
【図面の簡単な説明】
【図１】本発明の第１の実施の形態の平面図。
【図２】図１の要部拡大図。
【図３】本発明の第１の実施の形態の布地の説明図。
【図４】本発明の第１の実施の形態の布地の切断状態を示す説明図。
【図５】本発明の第１の実施の形態の腕を吊り下げた使用説明図。
【図６】本発明の第２の実施の形態の布地の説明図。
【図７】本発明の第２の実施の形態の布地の切断状態を示す説明図。
【符号の説明】
１、１Ａ：三角きん、    ２：長辺、
３：縦糸、              ４：横糸、
５、５Ａ：布地、        Ｈ：高さ寸法、
６：切断線。
【図１】
2004290413.tif 000003
【図２】
2004290413.tif 000004
【図３】
2004290413.tif 000005
【図４】
2004290413.tif 000006
【図５】
2004290413.tif 000007
【図６】
2004290413.tif 000008
【図７】
2004290413.tif 000009
(57)【要約】【課題】水に溶けているミネラル分を、沸騰させることなく、濃縮する。【解決手段】水タンク１に地下から汲み上げたミネラル水を蓄える。結氷板２は、冷凍機から送られる冷媒が通る冷却管３が添設されていて、−２０℃ほどに冷却されている。結氷板上部にノズル５を設け、これに水タンク１からポンプ６で圧送したミネラル水を送る。ノズルから噴出したミネラル水は結氷板２に添って流れ下り、一部は結氷板の表面に凍結し、残りは樋７に落ちる。樋に落ちた水は水タンク１に戻され、再びポンプ６で給水ノズル５に送られる。こうして結氷板にミネラル水を流し続けると、結氷板表面の氷の層が次第に厚くなってくる。水が凍るとき、水に溶けていた含有物はまだ凍っていない水の方に移動する性質があり、水の中に溶けていたミネラル等の含有物は、氷の中に少なく、代わりに水タンクの中の水のミネラル濃度が徐々に高くなる。【選択図】        図１
2004290928.tif 000002
【特許請求の範囲】
【請求項１】
鉱泉水を冷却した結氷板に接触させて部分的に結氷させ、この氷をもとの鉱泉水から分離することを特徴とする鉱泉水の濃縮方法。
【発明の詳細な説明】
【０００１】
【発明の属する技術分野】
この発明は、鉱泉水に含まれるミネラル分の濃度を高めるための方法に関する。
【０００２】
【従来の技術】
全国的な水道水の水質悪化に伴い、ボトル詰めミネラル水の需要が高まっている。ミネラル水は、単に美味しいというだけでなく、産地によっては、人間の健康を保つのに欠かせない必須微量元素が多く含まれていることがある。例えば、富士山周辺で採取される地下水にはバナジウムが多く含まれており、バナジュウムには人の血糖値を下げる効果があることが分かっている。しかしが多く含まれているといっても、１リットル中のバナジウム含有量はせいぜい５０〜１００マイクログラム程度であり、多量の水を飲まないと効果は薄い。
【０００３】
そこで、井戸から採取したミネラル水を濃縮すれば水を多量に飲まなくても済むわけである。ミネラル分の濃度を高めるには、水を沸騰させて水分を蒸発させてしまう方法が最も簡単である。しかし、美味しい水には、ミネラル分だけでなく空気がほどよく含まれていなければならないが、この方法では、水に溶けている気体分まで逃げてしまうので、鉱泉水の美味しさが失われてしまう。
【０００４】
【発明が解決しようとする課題】
この発明は、水に溶けているミネラル分を、沸騰させることなく、濃縮することを課題とする。
【０００５】
【課題を解決するための手段】
水が凍るとき、水に溶けていた含有物はまだ凍っていない方に移動しようとする性質があり、水の一部を凍らすと、水の中に溶けていたミネラル等の含有物は、氷の中に少なく、水の中に多く残される。この発明の鉱泉水の濃縮方法は、この原理を応用して、鉱泉水を冷却した結氷板に接触させて部分的に結氷させ、できた氷をもとの鉱泉水から分離するようにしたものである。
【０００６】
この方法によれば、ミネラル水中のバナジウム等の微量元素の濃度を高めることができ、少量の水を飲むだけでこれらを効果的に摂取することができる。また、ミネラル水を高温に晒すことがないので、自然の美味しさを失うおそれがない。
【０００７】
【発明の実施の形態】
図１において、符号１は水タンクであって、これに、地下から汲み上げたミネラル水を蓄える。符号２は結氷板であって、これには、冷凍機（図示しない。）から送られる冷媒が通る冷却管３が添設されていて、−２０℃ほどに冷却されている。結氷板上部にノズル５を設け、これに水タンク１からポンプ６で圧送したミネラル水を送る。ノズルから噴出したミネラル水は結氷板２に添って流れ下り、一部は結氷板の表面に凍結し、残りは樋７に落ちる。樋に落ちた水は水タンク１に戻され、再びポンプ６で給水ノズル５に送られる。こうして結氷板にミネラル水を流し続けると、結氷板表面の氷の層が次第に厚くなってくる。水が凍るとき、水に溶けていた含有物はまだ凍っていない水の方に移動する性質があり、水の中に溶けていたミネラル等の含有物は、氷の中に少なく、代わりに水タンクの中の水のミネラル濃度が徐々に高くなる。
【０００８】
こうして、１時間ほどかけて、氷の厚みが３０ｍｍくらいになったら、結氷板への送水を止め、今度は、冷却管に冷凍機からホットガスを導入して結氷板を加温する。こうすると。氷が結氷板から剥離してスロープ９を滑り落ちる。こうして脱氷が終わったら、再び結氷板に冷媒を送って冷却し、結氷板にノズルから水を掛ける。
【０００９】
このように、結氷および脱氷のサイクルを交互に１回〜数回繰り返し、最終的に水タンク１に残った水をフィルターに通して不純物を除去した後、ボトル詰して濃縮ミネラル水として出荷する。脱氷した氷はクラッシャーに掛けて細かく砕き、袋詰めにして出荷する。
【００１０】
表１は水質検査の結果であり、原水（富士山周辺で採取）と、これに上述のような濃縮処理を施したものを比較して示す。結氷サイクルは１回だけ、時間にして約１時間である。これによれば、バナジウムが２．７倍に濃縮されており、結氷サイクルの回数を増やせば、さらに濃縮することが可能である。
【００１１】
【表１】
2004290928.tif 000003
【図面の簡単な説明】
【図１】濃縮装置の説明図である。
【符号の説明】
１  水タンク
２  結氷板
３  冷却管
５  ノズル
６  ポンプ
７  樋
【図１】
2004290928.tif 000004
(57)【要約】【発明の目的】当該海水淡水化システムは無限に近い海水を淡水化して利用するシステムで，渇水化対策や砂漠の緑化対策として有効に機能するシステムです。それには従来の方式に見られる高いコストと限られた生産量の為，実際に現在社会が直面している水不足に役立たないのに較べて現実的に水対策として大いに役立つことを目的とします。【構成】当該海水淡水化システムは塩田に於ける製塩方法で砂が塩分を付着させる性能に着目し，砂を事実上のフィルターとして海水を砂の多重層潜らせて塩分を砂の粒子に付着させた後，水を地中に設置した川に流し込んで移動させ，必要な場所迄運んで井戸から汲上げて水を利用する仕組です。この際，地中の川の天井に布又は海綿状等の物質を覆って，砂を通さず水のみを通す天井材を使うことによって水分と塩分の分離を徹底させる。又，海中から大量の海水を継続して供給するのに風力発電を利用して水を汲上げる為，コストが極めて安く淡水化できる。【効果】地球の渇水化対策に大いに役立つ事ができます。【特許請求の範囲】
【請求項１】
海水を淡水に転換するのに砂をフィルターの役割として塩分と水分に分離する。
【請求項２】
砂地の下に大きな強度の岩石やコンクリート等ので囲った川を作り，砂の粒子は通さないが水は通す布や海綿状の物質で覆って，川に水を集めて地下を水が流れるようにする。
【請求項３】
海水中から風力発電によってモーターで水を汲上げ，樋で砂原に運び，砂の上に海水を流し，砂に海水が染込んで塩分が砂に付着し，水だけが天井を通して地中の川に流れ込み，その水を汲上げて利用する仕組。
【発明の詳細な説明】
【従来の技術】従来の海水の淡水化法は海水を水と塩分に分離するのに別のエネルギーを利用することが必要であった。つまり，海水を高温で煮詰めて水分を蒸発させ，その水蒸気を集めて冷却して水にして利用する方法や電気分解等による水の製造も含めて，火力や電気を消費することによって分離をさせる方法であり，この為，余分なコストと水を大量に継続して製造することに問題があった。
【課題を解決する方法】当該海水淡水化技術は塩田による製塩法から砂そのものが海水中から塩分を付着させる性質があることに着目し，砂の多重層に海水を潜らせて塩分と水分を分離させ，水だけを地中川を作って流し込み溜まった水を汲上げて利用することによって，安いコストで継続して大量に水を海水から分離して利用することによって問題を解決することに成功した方法。
【作用】渇水対策や砂漠の緑地化など大いに地球の環境対策に役立つ。
【図面の簡単な説明】
【第一図】風力発電で海中から海水を汲上げて樋で海水を砂原に運んで海水を流し，地中の川に砂で塩分を分離した後の水を流し込むシステム図の一例。
【符号の簡単な説明】
１．海中の塔                          ２．樋
３．砂原                              ４．地中の川
５．地中の川の天井                    ６．水を汲上げる井戸
７．風車                              ８．海
【図１】
2004290945.tif 000002
【手続補正書】
【提出日】平成15年4月15日(2003.4.15)
【手続補正１】
【補正対象書類名】明細書
【補正対象項目名】特許請求の範囲
【補正方法】変更
【補正の内容】
【特許請求の範囲】
【請求項１】
海水を淡水化する方法として堆積された砂又は土の間に包み込まれた空気が砂又は土に滞留した海水に浸透圧と毛管圧力が連携して作用させ，水分と塩分に分離し，更に，水分を吸収して伝達し凝結させて水滴にする転換機能を果すように利用する。
【請求項２】
空気中の潜熱の差が束一的性質に基づいて浸透圧と毛管引力が連携して海水に作用して水分と塩分に分離する環境と条件を作るのに砂や土を利用する。
【請求項３】
海水をパイプ等で堆積された砂又は土の上に流し，砂や土の粒子の表面に滞留した海水を砂や土の間に包み込まれている空気の相対湿度による吸水性能が浸透圧と毛管引力が連携して水分と塩分に分離させ，更に，砂又は土の下に人工の川を構築し，その天井に布やスポンジのような水は通すが砂又は土は通さない屋根材で覆い水を流すシステム。
(57)【要約】      （修正有）【課題】粘着シール張り込み時における空気たまりの抑制、防止。【解決手段】粘着シール１の接着剤２を間引きして塗布することにより、間引き部分に空気を逃がす通路３を作る事で、空気溜まりを抑制する。また、展性のある接着剤を使用することにより、簡単に空気溜まりを抑止できる。【選択図】図２
2004290944.tif 000002
【特許請求の範囲】
【請求項１】
接着材塗布に間隔を儲ける事による、空気溜まりの抑制。
【請求項２】
接着剤塗布に間隔を持たせた後、接着時に広がる事による
【発明の詳細な説明】
【０００１】
粘着シールの接着剤を線状、又は点状に配置することにり、空気を逃がし、空気溜まりを短時間で最小限に抑えることができる。
【０００２】
また、線状、又は点状に配置された接着剤をシール接着時、広げる事により、従来の経験に頼る空気抜きを短時間で簡単に行うことができる。
【発明の属する技術分野】
本発明は粘着シールを経験に頼ることなく、簡単かつ迅速に張ることができる粘着シール全般に関する。
【発明が解決しようとする課題】
従来の粘着シールを張る場合、空気を抜くため、石鹸水を霧吹きにより吹きかけるなどして、空気を抜いていたが、石鹸水の濃さ、張り方の手順にある程度の経験が必要である。
【課題を解決するための手段】
接着材塗布の段階で間隔を儲ける事により、空気溜まりを抑制。また、接着剤塗布に間隔を儲けた後、接着時に接着剤が広がる事による空気の排除効果。
【実施例】
ガラスや板状のものなどに、多量に粘着シールを貼る場合、迅速に且つ綺麗に粘着シールを貼ることができる。
【発明の効果】
粘着シールの大小に関わらず、従来の経験に頼る張り方ではなく、誰でも簡単に迅速で、しかも綺麗に粘着シールを張ることができる。
【図面の簡単な説明】
図面に示す大きさ・形態は一例であり、厚さは理解しやすいよう、誇張して描く。
【平面図】粘着シールの粘着面を一例としてあげた平面図である。
【断面図１】接着剤が接着時拡大しない物の断面図である。
【断面図２】接着剤が接着時拡大する物の、接着時における中心から圧力を加えたときの断面図である。
【符号の説明】
１  粘着シール本体
２  接着剤
３  空気抜き箇所・空気
４  接着対象物
2004290944.tif 000003
2004290944.tif 000004
2004290944.tif 000005
【手続補正書】
【提出日】平成15年6月2日(2003.6.2)
【手続補正１】
【補正対象書類名】明細書
【補正対象項目名】図面の簡単な説明
【補正方法】変更
【補正の内容】
【図面の簡単な説明】
図面に示す大きさ、厚さは理解しやすいよう、誇張して描く。
【図１】粘着シールの粘着面の平面図である。
【図２】接着剤が接着時拡大しない物の断面図で、空気の溜まりが無く均等になっている状態を表す。
【図３】接着剤が接着時拡大する物の、接着時における中心から圧力を加えたときの断面図であり、空気を追い出しながら接着している様子を表す。
【符号の説明】
１  粘着シール本体
２  接着剤
３  空気抜き箇所・空気
４  接着対象物


【手続補正２】
【補正対象書類名】図面
【補正対象項目名】全図
【補正方法】変更
【補正の内容】
【図１】
2004290944.tif 000006
【図２】
2004290944.tif 000007
【図３】
2004290944.tif 000008
(57)【要約】      （修正有）【課題】数多い処分場の地下水浸透公害土壌汚染及び近隣の空気汚染を解決すべく地下水位を上昇させず、浸透を抑制しながら汚染空気も同時に排出し環境問題を解決する。【解決手段】隔壁はシートパイル、トレンチパイル等の連続性のある遮断壁にて設け、隔壁上部はシート幕にて被覆し、幕下には通気性の良い材料を配布し、その中にフィルター付ストレーナーを配置して、吸入ポンプシステム７の運転で発生させた負圧の利用にて堆積物を圧縮する。幕下に設けた垂直揚水パイプ１４により汚染水、汚染ガスを吸入し汚染水は、中和と固化処理し、汚染ガスは活性炭素槽８を経て排気浄化する。【選択図】      図２
2004290946.tif 000002
【特許請求の範囲】
【請求項１】
隔壁内を負圧化する方法で、一定面積を区分し、シートパイル等で連続性を保ち、所定の位置迄打ち込み、地表面はシート状の幕で被覆し、幕下は通気性の良い材料を配布し負圧が均一に幕下に加わる構造
【請求項２】
通気性の良い材料は砂、小砂利、でその中に化学繊維を使用した防虫網を巻いたフィルター付きストレーナーパイプを一定の間隔を置いて配布してなる構造、ストレーナーパイプ径は５０−７５ｍｍ水平長は、１００−１５０ｍとし、吸入口に接続し均一に負圧が加わる様に工夫した構造
【請求項３】
吸入口に接続したストレーナーパイプは通気性の良い材料中の水と空気をポンプシステムへ送る構造
【請求項４】
ポンプシステムは負圧発生用ポンプと水と空気を分離する分離槽と排水ポンプで構成されている構造
【請求項５】
ポンプシステムを運転始動させる事により空気遮断用幕下各構造に負圧を伝達させて強制圧縮しつつ、垂直方向下部の吸水、吸気する構造
【請求項６】
隔壁内被覆幕下に垂直に堆積層厚に応じ４ｍ−１００ｍ深度迄揚水パイプを挿入して、堆積層に含まれる汚染ガスと汚染水を強制吸入して分離槽にて汚染ガスと汚染水を分離して排水する構造
【請求項７】
分離槽で分離されたガスは活性炭層を通過させ排気する構造と汚染水は水質検査後２槽２段に区分し中和出来る汚染水は中和剤にて中和し中和出来ない水は砂等の骨材と混合し個化材の投入により固化する工法及び装置
【請求項８】
揚水パイプ構造は堆積物層厚によりパイプ径、深度が異なるがパイプ先端底は一定の仕切り空間に高揚程ポンプを包含してなる構造で負圧が仕切り空間に有効に働く構造からなる強制排水装置で負圧効果をより強化出来る構造と装置、
【発明の詳細な説明】
【０００１】産業廃棄物等の堆積物を負圧により圧縮しつつ堆積物中に含まれている汚染水及び汚染ガスを取り除き公害を防止し処分場等の容積の増加を計り経剤性を生み出す工法と装置である
【０００２】堆積物上面に負圧の働く構造装置を設けつつ堆積物最下端に更に負圧を生む垂直揚水ポイントを設け負圧効果を利用し強制排水、強制排気を同時に行う事のできる工法と装置
【発明の属する技術分野】
【０００３】産業廃棄物等の堆積物による地下水汚染、土壌汚染、空気汚染等環境公害問題を解決する技術分野である
【従来の技術】
【０００４】従来迄の各処分場は堆積物を均しつつ覆土し積み重ねながら排気は垂直パイプを建て排気し、地下水は浸透し土壌汚染が問題となり最近の処分場はゴムシート張り等の対策がとられ安全化されているが従来迄の処分場は汚染水又汚染ガスは野放し状態である
【発明が解決しようとする分野】
【０００５】数多い処分場の地下水浸透公害土壌汚染及び近隣の空気汚染を本工法は解決すべく地下水位を上昇させず、浸透を抑制しながら汚染空気も同時に排出し環境問題を解決しようとしている
【発明の実施の形態】
【０００６】処分場等の堆積物の種別、堆積厚さ、間隙状況と処分場周辺状況把握、処分場底盤及び側面全体の土質、地質を調査しどの様な処分場としての設備のもとにあったのかにて本工法の実施計画をたて、隔壁遮断方法、被覆方法、汚染地下水遮断方法を計画実施する
【０００７】実施に当たり堆積物の種別により遮断方法を検討し堆積物の層厚による施工機械の選定、効果及び経済性を考慮実施する
【実施例】
【０００８】千葉県柏市花野井住宅団地内にて地盤の圧密と同時に圧縮を本工法で実施した、小さい規模の実施例は３−４あるが上記の効果を次にあげる
【発明の効果】
【０００９】負圧の管理に予期せぬカラスによるいたずらで頭をいためたが理論的にも實質的にも良い結果が得られた、負圧は４５０ｍｍＨＧを保守出来、圧縮数値も所定の１．２ｍを達成出来た
【図面の簡単な説明】
【図１】図１の平面図は一定の面積をシートパイル及びトレンチパイルで隔壁状に仕切りフィルター付きストレーナーパイプを３列配伏しその先端にポンプシステムを連結した状態であり、断面図は両側に隔壁用のシートパイルを打ち込みその内側へシート状幕を２の様に３ｍ埋め込みシート幕下には通気性の良い材料を敷き均してその中に防虫網を巻いたフィルター付きストレーナーを３本配伏しその先端はポンプシステム５に連結した図面である
【図２】図２の平面図は揚水パイプ１４より排出する汚染水、汚染ガスを分離槽６で分離して汚染ガス等は活性炭素槽８を通過させ浄化する図である一方汚染水は受水槽で２分化され中和剤にて一部は中和し、試験結果中和出来ない汚染水は個化し処分する図面である
【符号の説明】
１  隔壁遮断用シートパイル及びトレンチパイル
２  シート幕
３  通気性ノ良い材料砂等
４  フィルター付ストレーナー
５  ポンプシステム
６  分離槽
７  真空ポンプ
８  活性炭素槽
９  受水槽
１０  中和槽
１１  中和剤槽
１２  ２段受水槽
１３  揚水パイプ（仕切り空間を持ち高揚程ポンプを包含している）
【図１】
2004290946.tif 000003
【図２】
2004290946.tif 000004
(57)【要約】【課題】従来技術は、一つ一つの完成品が内蔵物として筐体内に搭載されている情報処理装置の分解作業    と言う点については配慮がされておらず、選別などの作業効率も悪く時間もかかってしまう問題があった。【解決手段】廃棄情報処理装置をベルトコンベアを使い、各温度設定された温度槽を通過させる事で、それぞれの温度にて溶解するネジにより固定されている各パーツが順番に外れて行き最終的には筐体シャーシのみの状態まで分解される。これにより分解作業者によるネジの取り外し時間を無くし分解処理の作業効率を向上させる事ができる。また、各パーツが順番に外れて行くので選別も容易に行うことができる。【選択図】  図１
2004290907.tif 000002
【特許請求の範囲】
【請求項１】
複数の部品が取り付けネジにより組立てられている情報処理装置において、前記部品の取り付けネジは、ネジ部と熱溶融するネジ頭部とから構成され、前記ネジは取り付け部品ごとに分解順序に応じて異なる溶融温度を有することを特徴とする情報処理装置。
【請求項２】
複数の部品が取り付けネジにより組立てられている情報処理装置の分解方法であって、搬送速度を自由に変化させる事ができるベルトコンベアで情報処理装置を搬送する工程と、自由な温度設定ができる温度槽内を搬送する工程と、前記温度槽内で槽温度と搬送時間に応じて部品の取り付けネジのネジ頭を溶融する工程を複数回繰り返して、装置の分解をおこなうことを特徴とする情報処理装置の分解方法。
【発明の詳細な説明】
【０００１】
【発明の属する技術分野】
本発明は、複数個の内蔵物を搭載して使用される情報処理装置の廃棄処理方法に関するものである。
【０００２】
【従来の技術】
従来の技術は特許文献１記載のように、分解処理を行なう場合、大きな単位でいきなり切断装置などを使い粉々にした後、各材質に選別していた。又、特許文献２のように、一つ一つ各パーツに分解する際は、固定しているネジを特殊工具を使い人により分解作業を行っていた。このため、部品点数が多くネジの数が膨大な為、作業効率が悪い。
【０００３】
【特許文献１】
特開平１１−１９２４７５号公報
【特許文献２】
特開平５−１１１９１８号公報
【０００４】
【発明が解決しようとする課題】
上記従来技術は、一つ一つの完成品が内蔵物として筐体内に搭載されている情報処理装置の分解作業と言う点については配慮がされておらず、選別などの作業効率も悪く時間もかかってしまう問題があった。
【０００５】
本発明は情報処理装置の分解作業の効率向上を目的としており、さらに分解に適したネジを提供する事を目的とする。
【０００６】
【課題を解決するための手段】
上記目的を達成する為に、請求項１，２では、廃棄情報処理装置をベルトコンベアを使い、各温度設定された温度槽を通過させる事で、それぞれの温度にて溶解するネジにより固定されている各パーツが順番に外れて行き最終的には筐体シャーシのみの状態まで分解される。これにより分解作業者によるネジの取り外し時間を無くし分解処理の作業効率を向上させる事ができる。また、各パーツが順番に外れて行くので選別も容易に行うことができる。
【０００７】
【発明の実施の形態】
以下、本発明の一実施例を図１〜図３により説明する。
【０００８】
図１は、本発明が適用された一連のシステム構成図である。
分解処理システムは、１：ベルトコンベア、２：温度槽Ａ、３：温度槽Ｂ、４：温度槽Ｃ、５：温度槽Ｄにより構成され、６：筐体シャーシ、７：側板、８：リムーバブルデバイス／ハードディスク部分、９：電源、１０：オプションボード、１１：マスタボ−ド及びそれらを固定している図２の１３：溶解ネジ（１４：ネジの頭（プラスティック）、１５：ワッシャー、１６：軸）から構成されている１２：廃棄情報処理装置が分解処理される。
【０００９】
分解処理する過程を以下に示す。
まず、１２：廃棄情報処理装置を１：ベルトコンベアで一定の速度で進ませる。２：温度槽Ａを通過した際、側板を固定している１３：溶解ネジの１４：ネジの頭（プラスティック）部分が２：温度槽Ａの熱により溶け落ち、７：側板を外す事ができる。
【００１０】
次に２：温度槽Ａよりも高い温度設定になっている３：温度槽Ｂを通過した際は、８：リムーバブルデバイス／ハードディスク部分を固定している１３：溶解ネジが溶け落ち外す事ができる。
【００１１】
次に４：温度槽Ｃは３：温度槽Ｂよりも更に高い温度設定になっており、今度は１０：オプションボード、１１：マスタボ−ドを固定している１３：溶解ネジが溶け落ちそれらを取り外す事ができる。最後に一つ残った９：電源を固定している１３：溶解ネジは５：温度槽Ｄを通過させる事で溶け落ち取り外す事ができる為、最終的には６：筐体シャーシのみの状態にまで分解できる。
以上により人によるネジの取り外し作業を無くす為、分解処理の作業効率を向上させる事ができる。
【００１２】
ここで、１３：溶解ネジの溶け落ちる時間差は、１４：ネジの頭（プラスティック）部分を形成している成分を変更して調整することができる。つまり、ある一定の温度以上になった際に溶け落ちるタイプの物を何種類か作り、そのネジを利用して情報処理装置を組み立てるようにする。
【００１３】
別の方法としては、図２の１３：溶解ネジの１４：ネジの頭（プラスティック）部分の体積を図３の様に色々なタイプにして１４：ネジの頭（プラスティック）部分が溶け落ちる速度を調節する事で上記実施例と同等な効果を発揮する事ができる。また、この方法では、１：ベルトコンベアの速度を調節して温度槽を通過する時間を変化させれば、１４：ネジの頭（プラスティック）が違う体積をしていても同時に溶け落とす事が出来るので、１３：廃棄情報処理装置の構成パーツに合わせて調整する事も可能である。この場合は、溶け落ちる時間差を作るのはあくまで１３：溶解ネジ側にある為、各温度槽の温度は一定にしておけば良い。
【００１４】
【発明の効果】
本発明によれば、廃棄情報処理装置をベルトコンベアを使い、各温度設定された温度槽を通過させる事で、それぞれの温度にて溶解するネジにより固定されている各パーツが順番に外れて行き最終的に
は筐体シャーシのみの状態まで分解できる。
【００１５】
また、これにより分解作業者によるネジの取り外し時間を無くし分解処理の作業効率を向上させる事
ができ、各パーツが順番に外れて行くので選別も容易に行うことができる。
【図面の簡単な説明】
【図１】本発明を取付けた廃棄情報処理装置の分解処理過程図である。
【図２】熱により溶解するネジの構成図である。
【図３】溶解部分図である。
【符号の説明】
１：ベルトコンベア、２：温度槽Ａ、３：温度槽Ｂ、４：温度槽Ｃ、５：温度槽Ｄ、６：筐体シャーシ、７：側板、８：リムーバブルデバイス／ハードディスク部分、９：電源、１０：オプションボード、１１：マスタボ−ド、１２：廃棄情報処理装置、１３：溶解ネジ、  １４：ネジの頭（プラスティック）、１５：導通ワッシャー、１６：軸
【図１】
2004290907.tif 000003
【図２】
2004290907.tif 000004
【図３】
2004290907.tif 000005